(57)【要約】【課題】  複数の眼科装置を容易に扱える端末装置、端末制御プログラム、端末装置に操作される眼科装置、および検眼システムを提供すること。【解決手段】  種類の異なる複数の眼科装置を操作するための端末装置であって、前記複数の眼科装置と通信を行う通信手段と、検者からの操作を受け付ける操作受付手段を有し、前記複数の眼科装置のうち、少なくとも一つの操作対象の眼科装置を選択する選択指示を受け付ける選択受付手段と、前記通信手段によって、前記操作対象の眼科装置に制御信号を送信する制御手段と、を備え、前記制御手段は、前記操作受付手段によって受け付けた操作に基づいて前記複数の眼科装置の測定順番を設定することを特徴とする。【選択図】      図１
2020099717.tif 000002
【特許請求の範囲】
【請求項１】
種類の異なる複数の眼科装置を操作するための端末装置であって、
前記複数の眼科装置と通信を行う通信手段と、
検者からの操作を受け付ける操作受付手段を有し、前記複数の眼科装置のうち、少なくとも一つの操作対象の眼科装置を選択する選択指示を受け付ける選択受付手段と、
前記通信手段によって、前記操作対象の眼科装置に制御信号を送信する制御手段と、を備え、
前記制御手段は、前記操作受付手段によって受け付けた操作に基づいて前記複数の眼科装置の測定順番を設定することを特徴とする端末装置。
【請求項２】
種類の異なる複数の眼科装置を操作するための端末装置において用いられる端末制御プログラムであって、前記端末装置のプロセッサによって実行されることで、
前記複数の眼科装置と通信を行う通信ステップと、
前記複数の眼科装置のうち、少なくとも一つの操作対象の眼科装置を選択する選択指示を、検者からの操作を受け付ける操作受付手段を介して受け付ける選択受付ステップと、
前記通信ステップにおいて、前記操作対象の眼科装置に制御信号を送信する制御ステップと、
前記操作受付手段によって受け付けた操作に基づいて前記複数の眼科装置の測定順番を設定する設定ステップと、
を前記端末装置に実行させることを特徴とする端末制御プログラム。
【発明の詳細な説明】
【技術分野】
【０００１】
本開示は、眼科装置を操作するための端末装置、端末制御プログラム、端末装置に操作される眼科装置、および検眼システムに関する。
【背景技術】
【０００２】
被検眼を検査する眼科装置としては、例えば、低コヒーレント光を用いた光断層干渉計（Optical Coherence Tomography: OCT）を用いて断層画像を取得するＯＣＴ装置が知られている（特許文献１参照）。また、他の眼科装置としては、眼屈折力測定装置、眼圧測定装置、眼底カメラ、走査型レーザ検眼鏡（Scanning Laser Ophthalmoscope: SLO）、レフラクター等が知られている。
【０００３】
これらのような眼科装置は、従来において、装置毎に設けられた操作部によって、被検眼に対する装置のアライメントを行うことが一般的であった。
【先行技術文献】
【特許文献】
【０００４】
【特許文献１】特開２０１２−２１３４８９
【発明の概要】
【発明が解決しようとする課題】
【０００５】
ところで、上記のような眼科装置において、アライメントから測定までを全自動で行える装置が提案されている。これによって、検者は、簡単な操作だけで測定を行えるようになる。
【０００６】
しかしながら、複数の装置を扱う場合、簡単な操作だけであっても、各装置に備えられた操作部を操作するために各装置の間を行き来しなければならず、手間であった。
【０００７】
本開示は、従来の問題点を鑑み、複数の眼科装置を容易に扱える端末装置、端末制御プログラム、端末装置に操作される眼科装置、および検眼システムを提供することを技術課題とする。
【課題を解決するための手段】
【０００８】
上記課題を解決するために、本開示は以下のような構成を備えることを特徴とする。
【０００９】
（１）  種類の異なる複数の眼科装置を操作するための端末装置であって、前記複数の眼科装置と通信を行う通信手段と、検者からの操作を受け付ける操作受付手段を有し、前記複数の眼科装置のうち、少なくとも一つの操作対象の眼科装置を選択する選択指示を受け付ける選択受付手段と、前記通信手段によって、前記操作対象の眼科装置に制御信号を送信する制御手段と、を備え、前記制御手段は、前記操作受付手段によって受け付けた操作に基づいて前記複数の眼科装置の測定順番を設定することを特徴とする端末装置。
（２）  種類の異なる複数の眼科装置を操作するための端末装置において用いられる端末制御プログラムであって、前記端末装置のプロセッサによって実行されることで、前記複数の眼科装置と通信を行う通信ステップと、前記複数の眼科装置のうち、少なくとも一つの操作対象の眼科装置を選択する選択指示を、検者からの操作を受け付ける操作受付手段を介して受け付ける選択受付ステップと、前記通信ステップにおいて、前記操作対象の眼科装置に制御信号を送信する制御ステップと、前記操作受付手段によって受け付けた操作に基づいて前記複数の眼科装置の測定順番を設定する設定ステップと、を前記端末装置に実行させることを特徴とする。
【図面の簡単な説明】
【００１０】
【図１】本実施例の端末装置の使用例を示す図である。
【図２】本実施例の端末装置の外観を示す概略図である。
【図３】本実施例の端末装置の表示されるアイコン画面２０の一例を示す図である。
【図４】本実施例の端末装置の制御動作を示すフローチャートである。
【図５】本実施例の端末装置の制御動作を示すフローチャートの一部である。
【図６】測定順序の設定方法の一例を示す図である。
【図７】本実施例の端末装置の表示されるアイコン画面２０の一例を示す図である。
【図８】本実施例の端末装置の表示されるアイコン画面２０の一例を示す図である。
【図９】本実施例の端末装置に表示される拡大操作画面の一例を示す図である。
【図１０】本実施例の端末装置にアイコンのレイアウト変更について説明する図である。
【発明を実施するための形態】
【００１１】
以下、本実施形態を簡単に説明する。本実施形態の端末装置（例えば、端末装置１０）は、例えば、複数の眼科装置（例えば、眼科装置１）を操作する。端末装置は、例えば、通信部（例えば、通信部７７など）と、選択受付部（例えば、表示部７５、操作部７６など、）と、制御部（例えば、制御部７０）等を主に備える。通信部は、例えば、眼科装置と通信を行う。選択受付部は、例えば、複数の眼科装置のうち、少なくとも一つの操作対象の眼科装置を選択する選択指示を受け付ける。制御部は、例えば、通信部によって操作対象の眼科装置に制御信号を送信する。これによって、検者は、端末装置を用いて複数の眼科装置を容易に操作できる。
【００１２】
なお、選択部は、例えば、表示部（例えば、表示部７５など）と、操作受付部（例えば、操作部７６など）を備えてもよい。表示部は、例えば、眼科装置を操作するための操作領域を表示する。操作領域は、例えば、アイコン、画面等であってもよい。操作受付部は、例えば、検者からの操作を受け付ける。この場合、制御部は、例えば、第１操作領域（例えば、アイコン２１ａなど）と第２操作領域（例えば、アイコン２１ｂなど）を表示部にそれぞれ表示させる。第１操作領域は、第１眼科装置を操作するために表示部に表示される領域である。第２操作領域は、第１眼科装置とは異なる第２眼科装置を操作するために表示部に表示される領域である。さらに、制御部は、操作受付部によって受け付けた第１操作領域に対する操作に基づいて、第１眼科装置を操作するための第１制御信号を第１眼科装置に送信する。また、制御部は、操作受付部によって受け付けた第２操作領域に対する操作に基づいて、第２眼科装置を操作するための第２制御信号を第２眼科装置に送信する。このように、本実施形態の端末装置は、複数の眼科装置を共通の端末装置で操作することができる。
【００１３】
もちろん、３つ以上の眼科装置を操作する場合は、表示部に３つ以上の操作領域を表示させてもよい。例えば、第ｎ操作領域（ｎは自然数）を表示部に表示させ、操作受付部によって受け付けた第ｎ操作領域に対する操作に基づいて、第ｎ眼科装置を操作するための第ｎ制御信号を第ｎ眼科装置に送信してもよい。
【００１４】
なお、制御部は、第１制御信号および第２制御信号を複数の眼科装置に送信してもよい。この場合、例えば、制御信号の先頭にどの装置向けかの識別子を設けるとよい。これによって、複数の眼科装置は、端末装置から送信される信号のうち、識別子の該当する制御信号を受け付けてもよい。また、制御部は、複数の眼科装置に制御信号を送信し、アクティブ状態の眼科装置だけが制御信号を受け取るようにしてもよい。
【００１５】
なお、制御部は、第１観察画像（例えば、観察画像２４ａなど）と第２観察画像（例えば、観察画像２４ｆなど）を通信部によって取得してもよい。第１観察画像は、例えば、第１眼科装置によって撮影された被検眼の画像である。第２観察画像は、例えば、第２眼科装置によって撮影された被検眼の画像である。この場合、制御部は、第１観察画像を第１操作領域に表示させ、第１観察画像を第２操作領域に表示させる。これによって、検者は、複数の眼科装置に測定される複数の被検者の観察画像を確認できる。
【００１６】
なお、制御部は、第１操作領域と第２操作領域とを表示部に切り換え可能に表示させてもよい。この場合、各操作領域を表示部に大きく表示できるため、見やすい。また、制御部は、第１操作領域と第２操作領域とを表示部に同時に表示させてもよい。この場合、検者は各眼科装置の状態を一目で把握できる。
【００１７】
なお、制御部は、操作受付部によって受け付けた第１操作領域及び第２操作領域のいずれかに対する操作に基づいて、第１眼科装置および第２眼科装置のいずれかを操作対象として設定してもよい。もちろん、３つ以上の眼科装置を操作する場合は、操作受付部によって受け付けた第１操作領域及び第ｎ操作領域のいずれかに対する操作に基づいて、第１眼科装置から第ｎ眼科装置のいずれかを操作対象として設定してもよい。このように、制御部は、複数の眼科装置のうち、一部の眼科装置に操作対象を設定してもよい。
【００１８】
なお、制御部は、操作受付部によって受け付けた第１操作領域及び第２操作領域のいずれかに対する操作に基づいて、操作対象を変更してもよい。例えば、第１眼科装置を操作対象として設定している場合、制御部は、操作受付部によって受け付けた第２操作領域に対する操作に基づいて、操作対象を第１眼科装置から第２眼科装置に変更してもよい。これによって、検者は、複数の眼科装置のうち、所望の眼科装置を操作することができる。
【００１９】
なお、制御部は、第１眼科装置が操作対象として設定された場合、操作対象でない第２眼科装置を操作するための第２操作領域よりも、第１操作領域を強調して表示部に表示させてもよい。例えば、制御部は、操作対象の眼科装置に対応する操作領域をハイライト表示、ダーク表示、斜線表示等で表示部に表示させてもよい。また、制御部は、操作対象の眼科装置対応する操作領域を、他の操作領域よりも明るく表示させてもよいし、部分的に色を変えて表示させてもよい。
【００２０】
なお、制御部は、第１眼科装置が操作対象として設定された場合、操作対象でない第２眼科装置を操作するための第２操作領域よりも、第１操作領域を大きく表示部に表示させてもよい。これによって、検者は、測定を行っている眼科装置の状態を見やすい。
【００２１】
なお、制御部は、操作受付部によって受け付けた操作に基づいて複数の眼科装置の測定順番を設定してもよい。この場合、制御部は、測定順番に従って複数の操作領域を順次強調表示させてもよい。これによって、検者は、次にどの装置を監視または操作すればよいか容易に把握できる。
【００２２】
なお、制御部は、複数の眼科装置から通信部を介して取得されるステータス信号に基づいて、複数の眼科装置がアクティブ状態か、または非アクティブ状態かを識別してもよい。
【００２３】
なお、制御部は、通信部によって複数の眼科装置に制御信号を送信し、眼科装置をアクティブ状態と非アクティブ状態とを切り換えてもよい。例えば、制御部は、複数の眼科装置の一つ一つに対してアクティブ状態と非アクティブ状態を切り換えてもよいし、複数の眼科装置を一回の操作でまとめて、アクティブ状態と、非アクティブ状態を切り換えてもよい。
【００２４】
なお、制御部は、操作受付部によって受け付けた操作に基づいて複数の眼科装置の測定順番を設定してもよい。例えば、制御部は、各眼科装置に対応する操作領域が操作された順番を測定順番として設定してもよい。例えば、制御部は、測定順番に従って第１眼科装置の次に第２眼科装置を測定する場合、第１眼科装置による測定が終了すると、第１眼科装置を非アクティブ状態とし、第２眼科装置をアクティブ状態にしてもよい。
【００２５】
なお、制御部は、第１眼科装置を想起させるマークを第１操作領域に表示させてもよい。例えば、眼科装置の名称、愛称、グラフィック等を第１操作領域に表示させてもよい。これによって、検者は、複数の眼科装置のうち、どの装置に対応する操作領域かを容易に把握できる。
【００２６】
なお、端末装置は、音声入力部をさらに備えてもよい。この場合、制御部は、音声入力部から受け付けた音声入力を、通信部によって、操作対象の眼科装置に設けられた音声出力部に送信してもよい。これによって、検者は、被検者に対して言葉で検査の説明を行える。
【００２７】
なお、端末装置は、撮影部をさらに備えてもよい。この場合、制御部は、撮影部から受け付けた画像を、通信部によって、操作対象の眼科装置に設けられた個別表示部（例えば、表示部７ａなど）に送信してもよい。これによって、検者は、被検者に対して身振りで検査の説明を行える。
【００２８】
なお、制御部は、記憶部（例えば、フラッシュメモリ７２、記憶部７４など）に記憶された端末制御プログラムを実行してもよい。端末制御プログラムは、例えば、選択受付ステップと、送信ステップを含んでもよい。選択受付ステップは、例えば、複数の眼科装置のうち、少なくとも一つの操作対象の眼科装置を選択する選択指示を受け付けるステップである。送信ステップは、例えば、操作対象の眼科装置に制御信号を送信するステップである。
【００２９】
なお、端末制御プログラムは、表示ステップと、操作受付ステップと、第１送信ステップと、第２送信ステップを含んでもよい。表示ステップは、例えば、第１眼科装置を操作するための第１操作領域と、第１眼科装置とは異なる第２眼科装置を操作するための第２操作領域とを表示部にそれぞれ表示させるステップである。操作受付ステップは、例えば、第１操作領域または第２操作領域への操作を受け付けるステップである。第１送信ステップは、例えば、操作受付ステップにおいて受け付けた第１操作領域に対する操作に基づいて第１眼科装置を操作するための第１制御信号を第１眼科装置に送信するステップである。第２送信ステップは、例えば、操作受付ステップにおいて受け付けた第２操作領域に対する操作に基づいて第２眼科装置を操作するための第２制御信号を第２眼科装置に送信するステップである。
【００３０】
なお、端末装置によって操作される眼科装置は、例えば、報知部（例えば、表示灯８、音声出力部９ａ、表示部７ａなど）を備えてもよい。報知部は、例えば、端末装置によって操作される操作対象であることを検者または被検者に報知してもよい。
【００３１】
なお、制御部は、複数の眼科装置の状態を確認できる確認画面（例えば、アイコン画面２０など）を表示部に表示させてもよい。検者は、確認画面によって複数の眼科装置の状態を一目で確認できるため、装置の異常等に素早く対応できる。
【００３２】
なお、複数の端末装置を用いて複数の眼科装置を操作してもよい。例えば、複数の端末装置に同一の眼科装置を関連付けられてもよい。このような場合、先に操作権限を取得した端末装置が眼科装置を操作し、後に操作権限を取得した端末装置は、先に操作権限を取得した端末装置の操作が終了するまで操作できないようにしてもよい。
【００３３】
なお、端末装置によって操作する眼科装置は、他覚検眼装置であってもよいし、自覚検眼装置であってもよい。
【００３４】
＜実施例＞
以下、本実施例の端末装置について説明する。本実施例の端末装置１０は、例えば、複数の眼科装置１を操作する（図１参照）。例えば、端末装置１０は、複数の眼科装置１と通信可能に接続されている。例えば、端末装置１０は複数の眼科装置１と無線および有線の少なくともいずれかによって接続される。例えば、端末装置１０は、眼科装置１に指令信号等を送信し、眼科装置１から測定結果等を受信してもよい。なお、端末装置１０は、例えば、タブレットＰＣ、ノートＰＣ、スマートフォン、デスクトップＰＣ等であってもよい。
【００３５】
端末装置１０は、例えば、制御部７０と、通信部７７と、操作部７６と、表示部７５などを備える。制御部７０は、例えば、一般的なＣＰＵ（Central Processing Unit）７１、フラッシュメモリ７２、ＲＡＭ７３、等で実現される。フラッシュメモリ７２には、端末装置１０の動作を制御するための各種プログラム、初期値等が記憶されている。ＲＡＭ７３は、各種情報を一時的に記憶する。なお、制御部７０は、複数の制御部（つまり、複数のプロセッサ）によって構成されてもよい。
【００３６】
制御部７０には、図２に示すように、例えば、記憶部７４、操作部７６、および表示部７５、通信部７７等が電気的に接続されている。記憶部７４は、電源の供給が遮断されても記憶内容を保持できる非一過性の記憶媒体である。例えば、ハードディスクドライブ、フラッシュＲＯＭ、着脱可能なＵＳＢメモリ等を記憶部７４として使用することができる。
【００３７】
通信部７７は、例えば、複数の眼科装置１と通信を行う。例えば、通信部７７は、各眼科装置１と電波等の送受信を行ってもよい。通信部７７は、例えば、無線ＬＡＮ、赤外通信、ＷｉＦｉ（登録商標）、Ｂｌｕｅｔｏｏｔｈ（登録商標）等によって眼科装置１と通信を行ってもよい。インターネット回線が利用されてもよい。もちろん、通信部７７は、ＵＳＢケーブル、ＬＡＮケーブル等の有線接続によって各眼科装置１と通信を行ってもよい。
【００３８】
表示部７５は、例えば、各眼科装置１に対応する操作画面、および各眼科装置１から受信した測定結果を表示する。パーソナルコンピュータ（以下、「ＰＣ」という。）のディスプレイを用いてもよい。複数のディスプレイが併用されてもよい。また、表示部７５は、タッチパネル機能を備えてもよい。
【００３９】
操作部７６は、検者による各種操作指示を受け付ける。操作部７６は、入力された操作指示に応じた操作信号を制御部７０に出力する。操作部７６には、例えば、タッチパネル、マウス、ジョイスティック、キーボード等の少なくともいずれかのユーザーインターフェイスを用いればよい。なお、表示部７５がタッチパネルである場合、表示部７５は、操作部７６としても機能する。
【００４０】
図３に示すように、例えば、表示部７５にはアイコン画面２０が表示される。アイコン画面２０は、各眼科装置１の状態の確認、および操作を行う画面である。アイコン画面２０には、各眼科装置１に対応するアイコン２１が表示される。アイコン２１は、例えば、眼科装置の表示部７ａに表示された画面そのものでもよいし、各眼科装置１を想起させるイメージ、形状、名称、愛称等を含んでもよいし、これらの組み合わせでもよい。本実施例のアイコンでは、各装置の外観図２２ａ〜ｆが表示された操作画面の形状である（図３参照）。例えば、各アイコン２１ａ〜ｆは、共通の形態であってもよいし、それぞれ異なる形態であってもよい。
【００４１】
アイコン画面２０には、各眼科装置１に対応するアイコン２１が複数表示される。例えば、制御部７０は、異なる眼科装置１にそれぞれ対応するアイコンを表示部７５に並べて表示させる。検者は、表示部７５に表示されたアイコン２１によって各眼科装置１の状態および測定結果等を確認する。また、検者は、表示部７５に表示されたアイコン２１に対して特定の操作入力を行うことによって、各眼科装置１を操作してもよい。
【００４２】
＜眼科装置について＞
端末装置１０と接続される眼科装置１は、例えば、眼屈折力測定装置、非接触式眼圧計、眼軸長測定装置、角膜内皮細胞撮影装置、光断層像撮影装置、眼底撮影装置、局所視野計、角膜形状測定装置、レフラクター等であってもよい。本実施例の眼科装置１は、検眼部２と、駆動部３と、を備え、全自動で被検者を測定する。従って、検者は、各装置の傍らで操作を行う必要がなく、端末装置１０を用いて離れた場所から眼科装置１の状態および測定結果を確認するだけでよい。
【００４３】
例えば図２に示すように、眼科装置１は、検眼部２と、制御部７と、通信部５と、基台６と、顔支持部４と、駆動部３等を備えてもよい。制御部７は、検眼部２、通信部５、駆動部３等と接続され、眼科装置１を制御する。通信部５は、端末装置１０と通信する。例えば、通信部５は、端末装置１０の通信部７７と電波の送受信を行う。検眼部２は、被検眼の検査（測定、撮影など）を行う。検眼部２は、例えば、観察光学系２ａと検査光学系２ｂ等を備える。観察光学系２ａと検査光学系２ｂは、例えば、光源、光学素子（例えば、レンズ、ミラーなど）、受光素子（例えば、ＣＣＤなど）等を備える。駆動部３は、例えば、基台６に設けられ、被検眼Ｅに対して検眼部２を３次元方向に移動させてもよい。顔支持部４は、被検者の顔を支持する。顔支持部４は、例えば、顎台４ａ、額当て４ｂ等を備えてもよい。
【００４４】
さらに、眼科装置１は、表示部７ａ、音声出力部（例えばスピーカーなど）９ａ、音声入力部（例えばマイクなど）９ｂ、表示灯（例えば、パイロットランプなど）８等を備えてもよい。表示部７ａ、音声出力部９ａ、音声入力部９ｂ、表示灯８は、例えば、制御部７に接続される。表示部７ａは、例えば、操作画面、検査結果等を表示する。表示部７ａは、例えば、被検者側に備えられてもよいし、被検者と反対側に備えられてもよい。表示部７ａは、被検者側に向くように、画面の方向を変更できてもよい音声出力部９ａは、制御部７に接続された図示無き記憶部に記憶された所定の音声案内を出力してもよいし、端末装置１０の音声入力部７９によって入力された音声を出力してもよい。音声入力部９ｂは、例えば、被検者の声が入力される。眼科装置１と端末装置１０のそれぞれに設けられた音声出力部９ａ、音声入力部９ｂによって、検者と被検者が離れた位置にいる場合でも会話、指示などを行える。
【００４５】
表示灯８は、例えば、顎台４ａ、額当て４ｂ、本体上部に配置されてもよい。表示灯８は、例えば、装置１がアクティブな状態である場合に点灯される。例えば、被検者は、表示灯８を確認することによって装置１がアクティブ状態（例えば、測定可能状態、電源ＯＮなど）であるか非アクティブ状態（例えば、スリープ状態、節電状態、電源ＯＦＦ）であるか把握できる。また、制御部７は、次に測定を行う装置の表示灯８を点灯または点滅させてもよい。これによって、被検者は、迷うことなく次の眼科装置１の場所に移動できる。なお、表示部７ａを表示灯８として用いてもよい。
【００４６】
＜制御動作＞
以上のような端末装置１０を用いて複数の眼科装置１を管理するときの制御動作を図４および図５のフローチャートに基づいて説明する。例えば、検者は、端末装置１０を用いて各眼科装置１の状態確認および測定支援を行う。
【００４７】
なお、検者は、測定前に端末装置１０と眼科装置１を関連付ける設定（例えば、ペアリングなど）をしておくとよい。例えば、制御部７０は、各眼科装置から出力される電波を探知し、その情報（例えば、識別信号）を記憶部７４に記憶させてもよい。これによって、制御部７０は、各眼科装置からの電波を識別することができる。
【００４８】
（ステップＳ１）
まず、検者は、複数の眼科装置１Ａ〜Ｆの測定順序を設定する。例えば、図６に示すように、検者は、測定したい順番に各アイコン２１ａ〜ｆをタッチすることで、測定順番を端末装置１０に入力してもよい。アイコン２１がタッチされると、表示部７５は、タッチ操作を検出し、制御部７０に操作信号を送信する。制御部７０は、例えば、表示部７５からの操作信号を受信する。
【００４９】
制御部７０は、表示部７５から出力される操作信号を受信し、アイコン２１がタッチされた順番を記憶部７４に記憶させる。なお、制御部７０は、検者にタッチされたアイコン２１の表示を変更し、選択済みであることを示してもよい。例えば、制御部７０は、選択されたアイコン２１をハイライト表示、ダーク表示、斜線表示等で表示してもよい（例えば、図６、図７参照）。また、制御部７０は、選択されたアイコン２１の近くに測定順を示す番号２３ａ〜ｃを表示してもよい。なお、検者は、すべての眼科装置１を選択する必要はなく、測定を行う装置のみ選択すればよい。
【００５０】
（ステップＳ２）
制御部７０は、ステップＳ１において設定された測定順番を記憶部７４から読み出し、最初に測定を行う装置（例えば、第１装置１Ａ）の制御を開始する（図５参照）。例えば、制御部７０は、通信部７７によって第１装置１Ａに起動信号を送信する（ステップＳ２−１）。
【００５１】
第１装置１Ａの制御部７は、端末装置１０から起動信号を受け取ると、第１装置１Ａをアクティブ状態にする。そして、第１装置１Ａの制御部７は、検眼部２によって撮影された観察画像２４を端末装置１０に送信する。端末装置１０は、第１装置１Ａから観察画像２４ａを受け取り、表示部７５に表示させる（図７参照）。例えば、第１装置１Ａのアイコン２１ａの一部の領域に観察画像２４ａを表示させてもよい。なお、アイコン２１には観察画像２４ａの他に、被検者の状態（例えば、顔支持部４と顔の接触状態）、装置の状態等の必要な情報が表示されてもよい。
【００５２】
例えば、検者は、第１装置１Ａのアイコンに表示された観察画像を確認することによって、第１装置１Ａがアクティブ状態であることを把握してもよい。例えば、検者は、観察画像を観察し、自動測定が行われる様子を監視する。眼科装置１は、自動でアライメントおよび測定を行う。
【００５３】
なお、端末装置１０は、アクティブ状態の眼科装置１に操作信号を送信してもよい（ステップＳ２−２）。例えば、検者は、アイコン２１に対して操作入力を行うことによって、アクティブ状態の眼科装置１を操作してもよい。例えば、検者がアイコン２１ａに表示された観察画面２４ａにタッチし、ドラッグ操作およびピンチ操作等を行うことによって装置をＸＹＺ方向に移動させてもよい。例えば、制御部７０は、表示部７５タッチパネルによって検出された検者のドラッグ操作に応じて、各眼科装置１の検眼部２をＸＹ方向に移動させ、ピンチ操作に応じて各眼科装置１の検眼部２をＺ方向に移動させてもよい（特願２０１４−２０２７００参照）。
【００５４】
第１装置１Ａによる被検眼Ｅの測定が完了すると、制御部７０は、測定結果を受信する（ステップＳ２−３）。例えば、制御部７０は、ステータス情報の要求信号を定期的に眼科装置１に送ってもよい。眼科装置１は、制御部７０からの要求信号を受信する度に装置のステータス情報を端末装置１０に送ってもよい。制御部７０は、眼科装置１から測定完了のステータス情報を受け取ると、眼科装置１に測定結果を送信させるように要求してもよい。例えば、眼科装置１は、測定結果を要求されると、端末装置１０に測定結果を送信する。もちろん、ステータス情報および測定結果等は、端末装置１０からの要求がなくても眼科装置１から一方的に端末装置１０に送信されてもよい。
【００５５】
制御部７０は、測定結果を受信すると、測定結果を記憶部７４に記憶させてもよい。さらに制御部７０は、記憶部７４に記憶された測定結果を、対応するアイコン２１の一部の領域に表示させてもよい。
【００５６】
なお、制御部７０は、第１装置１Ａから測定結果を受信すると、第１装置１Ａに停止信号を送ってもよい（ステップＳ２−４）。第１装置１Ａは、停止信号を受け取ると、非アクティブ状態になる。各眼科装置１は、端末装置１０からの停止信号に基づいて自動で非アクティブ状態となるように制御されるため、不要な電力の消費が抑えられる（図８参照）。
【００５７】
（ステップＳ３）
制御部７０は、第１装置１Ａに停止信号を送信した後、第２装置１Ｂに起動信号を送信する。第２装置１Ｂは第１装置１Ａと同様に制御部７０からの測定開始信号を受けて被検者を測定し、測定結果を端末装置１０に送信する。端末装置１０は、第２眼科装置１Ｂから測定結果を取得すると、第２装置１Ｂを非アクティブ状態にする。
【００５８】
（ステップＳ４）
制御部７０は、上記のような制御を繰り返すことによって、ステップＳ１で設定した順番で測定を行い、複数の眼科装置１Ａ〜１Ｆにおいて測定された測定結果を取得する。検者は、必要に応じて端末装置１０の音声入力部７９から被検者に対して指示を出してもよい。ステップＳ１で設定した全ての眼科装置１において測定が完了すると、制御部７０は、例えば、すべての眼科装置１を非アクティブ状態にする。なお、制御部７０は、各装置によって得られた測定結果を表示部７５に一覧表示してもよい。
【００５９】
このように、表示部７５に複数の眼科装置１に対応するアイコン２１をそれぞれ表示させることによって、一つの端末装置１０で２つ以上の眼科装置１を管理、操作することができる。また、一つの端末装置１０で複数の眼科装置１を操作できるため、検者は必ずしも装置１の傍に居る必要がなく、離れた位置からも操作できる。また、検者は、必ずしも装置毎に移動する必要がなく、同じ場所に留まって操作できる。
【００６０】
また、端末装置１０によって測定結果確認および操作が可能であるため、必ずしも装置毎に表示部および操作部の一方または両方を設ける必要がなくなる。
【００６１】
もちろん、複数の端末装置１０で複数の眼科装置１を制御するようにしてもよい。この場合、先に操作権限を持った端末装置１０のみが眼科装置を操作できるようにしてもよい。このとき、操作権限を持たない他の端末装置１０は待たされ、操作権限を持つ端末装置による操作状態が表示部７５に表示されてもよい。
【００６２】
また、複数の端末装置１０を用いる場合、眼科装置を複数のグループに分け、グループごとに端末装置を割り当ててもよい。
【００６３】
なお、上記の例では、測定順番を設定し、設定された測定順番に応じて自動でアクティブ状態と非アクティブ状態が切り換わるが、検者のアイコン２１への操作に応じて切り換えてもよい。例えば、アイコン２１をタッチすることによって装置１をアクティブ状態／非アクティブ状態を切り換えてもよい。例えば、制御部７０は、非アクティブ状態であるアイコン２１がタッチされると、対象の眼科装置１をアクティブ状態に切り換えるための起動信号を送信してもよい。一方、制御部７０は、アクティブ状態であるアイコン２１の停止ボタン２７がタッチされると、対象の眼科装置１を非アクティブ状態に切り換えるための停止信号を送信してもよい（図７、８参照）。そして、制御部７０は、表示部７５に表示されたアイコン２１を非アクティブ表示に切り換えてもよい。
【００６４】
なお、制御部７０は、装置毎又は複数の装置をまとめて切り換えてもよい。例えば、制御部７０は、検者の特定の操作（例えば、アイコン２１の長押し、停止ボタン２７長押し等）で全装置の状態を切り換えてもよい。
【００６５】
なお、制御部７０は、アイコン２１を表示部７５に拡大表示させてもよい。例えば、制御部７０は、アイコン２１ａに設けられた拡大ボタン２６Ａ（図７参照）が押された場合、表示部７５にアイコン２１ａを拡大表示した拡大アイコン２１Ａを表示させてもよい。拡大アイコンは、例えば、眼科装置１の表示部７ａに表示される操作画面と同様であってもよい。
【００６６】
また、制御部７０は、アイコン２１ａが操作された場合、表示部７５に拡大アイコン２１Ａを表示させてもよい。例えば、検者がアイコン２１ａをタッチした場合、制御部７０は、タッチパネルから出力された操作信号を受け付け、表示部７５に拡大アイコン２１Ａを表示させるようにしてもよい。例えば、図９に示すように、拡大アイコン２１Ａが表示部７５に表示されることによって、観察画像の確認、装置の操作等が行い易くなる。
【００６７】
例えば、図９（ａ）および（ｂ）に示すように、拡大アイコン２１Ａが表示される場合、拡大アイコン２１Ａに対してフリック操作、ドラッグ操作等の特定の操作が行われると、次の測定順番の拡大アイコン２１Ｆが表示されるようにしてもよい。もちろん、制御部７０は、アイコン切換ボタン２８Ｆ、２８Ｂ等が操作された場合に測定順番の前後のアイコン２１を表示させてもよい。
【００６８】
また、例えば、拡大アイコン２１Ａが表示される場合、制御部７０は、第１装置１Ａでの測定が完了すると、ステップＳ１によって設定された測定順番の通りに、自動で次の拡大アイコン２１Ｆに表示を切り換えてもよい。
【００６９】
なお、拡大アイコン２１Ａは、縮小ボタン２６ａが操作されることによって、元のアイコンサイズに戻るようにしてもよい。もちろん、制御部７０は、拡大アイコン２１Ａの停止ボタン２７が操作されると、拡大アイコン２１Ａを元のアイコン２１ａの表示に戻すとともに、第１装置１Ａが非アクティブ状態になるようにしてもよい。
【００７０】
なお、以上の説明では、表示部７５は、タッチパネル機能を備え、制御部７０は、検者のタッチ入力を検出するものとしたがこれに限らない。例えば、端末装置１０は、その他の操作部による操作に基づいてアイコン２１の選択を検出してもよい。例えば、マウス、キーボード等の操作手段を用いてもよい。
【００７１】
なお、端末装置１０は、各眼科装置１の各種設定またはソフト等の更新を行ってもよい。例えば、制御部７０は、インターネット回線を通じて各眼科装置１の設定情報、更新ソフト等をダウンロードし、眼科装置１に送信してもよい。眼科装置１は、端末装置１０から受信した更新プログラムによって各種設定、ソフト等を更新してもよい。
【００７２】
なお、端末装置１０は、インターネット回線によって眼科装置１と通信してもよい。例えば、端末装置１０と眼科装置１との間で電波が届かない場合、インターネット回線で信号の送受信を行ってもよい。このように、検者は、端末装置１０とインターネット回線を用いることによって、眼科装置１を遠隔操作してもよい。
【００７３】
なお、制御部７０は、表示部７５に表示されるアイコン２１の配置を変更してもよい。例えば、図１０に示すように、制御部７０は、ドラッグ操作等の検者の操作に基づいて、アイコン画面２０上のアイコン２１の表示位置を移動させてもよい。これによって、検者は、検査室内の眼科装置１のレイアウトに合わせてアイコンの配列を変更でき、装置とアイコンの対応関係を把握しやすい。
【００７４】
また、制御部７０は、任意の画像を背景としてアイコン２１を表示させてもよい。例えば、制御部７０は、部屋の壁、仕切り、机などが描かれたレイアウト画像にアイコン２１を重畳させてもよい。これによって、検者は、表示部７５に表示された眼科装置１と、検査室内の眼科装置１との対応が容易に把握できる。もちろん、制御部７０は、端末装置１０に設けられた図示無きカメラで撮影された画像にアイコン２１を重畳させてもよい。
【００７５】
なお、各眼科装置１は、報知部を備えてもよい。報知部は、例えば、これから測定・撮影を行うことを被検者または検者に示してもよいし、眼科装置１の測定／撮影エラーまたは異常発生を検者に報知してもよい。例えば、報知部は、前述の表示灯８、表示部７ａ、音声出力部９ａ等であってもよい。例えば、報知部は、表示灯８を点灯・点滅させてもよいし、表示部７５の画面をフラッシュさせたり、色を変化させたりしてもよいし、音声出力部９ａによって音声を出力してもよい。また、報知部は、表示部７ａに測定順を示す番号を表示することによって被検者または検者に測定順または測定開始等を報知してもよい。
【００７６】
なお、眼科装置１は、被検者の顔または眼Ｅの存在を検知し、自動的に眼科装置１、および端末装置１０の画面がアクティブ状態になって、測定および操作をできるようにしてもよい。例えば、眼科装置１は、検眼部に設けられる受光素子の受光信号によって被検者の顔または眼の存在を検知してもよい。また、例えば、眼科装置１は、顔支持部４に設けられたセンサーによって被検者の顔または眼Ｅの存在を検出してもよい。
【００７７】
なお、各眼科装置１の検査終了後、取得された全データを一覧表示させてもよいし、全データから必要な検査結果、解析結果を算出および表示させてもよい。また、眼科装置１によって取得されたデータを別の眼科装置１に転送し、そのデータを眼科装置１の測定等に利用してもよい。例えば、制御部７０は、眼屈折力測定装置によって測定されたＡＲ値をレフラクターに転送してもよいし、眼軸長測定装置によって測定された眼軸長を光断層像撮影装置等に転送してもよい。このように、他の装置で取得された測定データを利用することで、より早く確実な測定を行える。
【００７８】
なお、詳細な解析等が必要な装置の場合、端末装置１０は、眼科装置１によって取得された測定データを別のＰＣに転送してもよい。そして、端末装置１０は、ＰＣの解析結果を取得し、表示部７５に表示してもよい。もちろん、眼科装置１から直接ＰＣに測定データが転送されてもよい。この場合、端末装置１０は、ＰＣを経由して測定データおよび解析結果を取得してもよい。
【００７９】
なお、端末装置１０は、各眼科装置１のデータ等を、電カルテ、ファイリングシステム等に転送してもよいし、連携してもよい。
【００８０】
なお、端末装置１０は撮影部８０を備えてもよい。制御部７０は、撮影部８０によって撮影した画像（例えば、検者の顔、体等）を眼科装置１に送信してもよい。制御部７は、撮影部８０によって撮影された画像を、被検者側に向けた表示部７ａに表示させてもよい。これによって、検者は、被検者に対して身振り手振りで説明することができる。
【００８１】
また、眼科装置１は、観察光学系２ａ等によって撮影された画像（例えば、被検者の顔等）を端末装置１０に送信してもよい。制御部７０は、観察光学系２ａによって撮影された画像を表示部７５に表示させてもよい。これによって、検者は、被検者を監視することができる。
【００８２】
なお、被検者が装置前の椅子に座った状態で、被検者側に向けた表示部７ａに、検者の撮影部８０からの画像（被検者の顔等）を表示し、検者の表示部７５には、観察光学系２ａで撮影した画像（被検者の顔等）を表示してもよい。これによって、検者と被検者は、お互いの画像を見ながら、音声でコミュニケーションをとれる。例えば、検者は、被検者に対して検査の説明を行え、被検者は、検者に質問等をすることができる。
【００８３】
なお、被検者が装置前に座ったことを、装置が自動検知して、アクティブ状態にしてもよい。例えば、光センサーまたは検眼部２の受光結果等を利用してもよい。
【符号の説明】
【００８４】
１  眼科装置
２  検眼部
３  駆動部
４  顔支持部
５  通信部
７  制御部
７ａ  表示部
８  表示灯
９ａ  音声出力部
９ｂ  音声入力部
１０  端末装置
７０  制御部
７１  ＣＰＵ
７２  フラッシュメモリ
７３  ＲＡＭ
７４  記憶部
７５  表示部
７６  操作部
７７  通信部
７８  音声出力部
７９  音声入力部
８０  撮影部
【図１】
2020099717.tif 000003
【図２】
2020099717.tif 000004
【図３】
2020099717.tif 000005
【図４】
2020099717.tif 000006
【図５】
2020099717.tif 000007
【図６】
2020099717.tif 000008
【図７】
2020099717.tif 000009
【図８】
2020099717.tif 000010
【図９】
2020099717.tif 000011
【図１０】
2020099717.tif 000012